(57)【特許請求の範囲】
【請求項１】
第１開口部と第２開口部とが外面に設けられた機器ケースの前記第１開口部を覆って取り付けられ、かつ外面に第１ベルト取付部が設けられた第１カバー部材と、
前記機器ケースの前記第２開口部を覆って取り付けられ、かつ外面に第２ベルト取付部が設けられた第２カバー部材と、
前記第１カバー部材の前記第１ベルト取付部に一端部側が取り付けられ、かつ前記第２カバー部材の前記第２ベルト取付部に他端部側が取り付けられるベルトと、
を備えていることを特徴とするベルト取付構造。
【請求項２】
請求項１に記載のベルト取付構造において、
前記ベルトは、前記第１カバー部材の前記第１ベルト取付部に一端部側がベルト連結部材によって取り付けられ、かつ前記第２カバー部材の前記第２ベルト取付部に他端部側が取り付けられることを特徴とするベルト取付構造。
【請求項３】
請求項２に記載のベルト取付構造において、
前記ベルト連結部材は、互いに対面する対面部を有する連結本体と、前記連結本体の互いに対面する一面部に設けられたベルト取付孔と、前記連結本体の他面部に設けられた位置規制孔と、を備え、前記ベルトの前記一端部が前記連結本体の前記一面部と前記他面部との間を通して前記ベルト取付孔に挿入されて折り返されることにより、前記ベルトの前記一端部側が前記連結本体に取り付けられることを特徴とするベルト取付構造。
【請求項４】
請求項３に記載のベルト取付構造において、
前記第１ベルト取付部は、前記第１カバー部材に設けられて前記連結本体の前記他面部の両端部を挟持する一対の挟持部と、前記第１カバー部材に設けられて前記連結本体の前記位置規制孔に弾力的に挿入する位置規制部と、を備えていることを特徴とするベルト取付構造。
【請求項５】
請求項１〜請求項４のいずれかに記載のベルト取付構造において、
前記第１開口部は、前記機器ケースの内部に設けられたコネクタに対応して設けられた開口部であり、
前記第２開口部は、前記機器ケースの内部に設けられた電池収納部に対応して設けられた開口部であることを特徴とするベルト取付構造。
【請求項６】
請求項１〜請求項５のいずれかに記載のベルト取付構造において、
前記第１開口部の周縁部には、前記第１カバー部材の内面に圧接して前記第１開口部を密閉するパッキン部が設けられていることを特徴とするベルト取付構造。
【請求項７】
請求項１〜請求項６のいずれかに記載のベルト取付構造において、
前記第２ベルト取付部は、前記第２カバー部材に設けられた取付突起部と、前記取付突起部に設けられて前記ベルトの前記他端部が挿入するベルト挿入孔と、を有し、前記ベルトの前記他端部が前記ベルト挿入孔に挿入されて折り返されることにより、前記ベルトの前記他端部側が前記取付突起部に取り付けられることを特徴とするベルト取付構造。
【請求項８】
請求項１〜請求項７のいずれかに記載のベルト取付構造を備えていることを特徴とする電子機器。
【発明の詳細な説明】
【技術分野】
【０００１】
この発明は、携帯端末機や携帯電話機などの電子機器に用いられるベルト取付構造およびそれを備えた電子機器に関する。
【背景技術】
【０００２】
例えば、携帯電話機においては、特許文献１に記載されているように、表示部が設けられた第１ケースと入力部が設けられた第２ケースとをヒンジ部で回転可能に連結し、第１ケースと第２ケースとを重ね合わせて閉じた際に、表示部と入力部とが対面し、この第２ケースの裏面にハンドベルトを取り付けるように構成されたものが知られている。
【先行技術文献】
【特許文献】
【０００３】
【特許文献１】特開２０１０−１７１７３１号公報
【発明の概要】
【発明が解決しようとする課題】
【０００４】
しかしながら、このような携帯電話機では、第２ケースの裏面にハンドベルトの一端部が取り付けられる第１ベルト取付部を設けると共に、ハンドベルトの他端部が取り付けられる第２ベルト取付部を設けた構成であるから、第２ケースの構造が複雑になるという問題ある。
【０００５】
また、この携帯電話機では、第１ベルト取付部と第２ベルト取付部とが第２ケース内に向けて窪んで形成されているので、第２ケース内に組み込まれるモジュールが第１、第２の各ベルト取付部によって制約を受けるという問題もある。
【０００６】
この発明が解決しようとする課題は、機器ケースの構造を簡素化し、モジュールが制約を受けずに、ベルトを機器ケースに良好に取り付けることができるベルト取付構造およびそれを備えた電子機器を提供することである。
【課題を解決するための手段】
【０００７】
この発明は、第１開口部と第２開口部とが外面に設けられた機器ケースの前記第１開口部を覆って取り付けられ、かつ外面に第１ベルト取付部が設けられた第１カバー部材と、前記機器ケースの前記第２開口部を覆って取り付けられ、かつ外面に第２ベルト取付部が設けられた第２カバー部材と、前記第１カバー部材の前記第１ベルト取付部に一端部側が取り付けられ、かつ前記第２カバー部材の前記第２ベルト取付部に他端部側が取り付けられるベルトと、を備えていることを特徴とするベルト取付構造である。
【発明の効果】
【０００８】
この発明によれば、機器ケースに取り付けられた第１カバー部材の第１ベルト取付部にベルトの一端部側を取り付けることができると共に、機器ケースに取り付けられた第２カバー部材の第２ベルト取付部にベルトの他端部側を取り付けることができる。このため、機器ケースに第１ベルト取付部および第２ベルト取付部を直接設ける必要がないので、機器ケースの構造を簡素化することができ、かつモジュールが制約を受けることがなく、ベルトを機器ケースに良好に取り付けることができる。
【図面の簡単な説明】
【０００９】
【図１】この発明を携帯端末機に適用した一実施形態を示した正面図である。
【図２】図１に示された携帯端末機の裏面図である。
【図３】図１に示された携帯端末機を上下反転させた状態で、要部を分解して示した拡大斜視図である。
【図４】図２に示された携帯端末機においてカバー部材を取り外した状態を示した裏面図である。
【図５】図２に示された携帯端末機のＡ−Ａ矢視における要部の拡大断面図である。
【図６】図２に示されたカバー部材を示し、（ａ）はそれを裏面側から見た拡大斜視図、（ｂ）はそれを内部側から見た拡大平面図である。
【図７】図２に示されたハンドベルトの一端部にベルト連結部材を取り付けた状態の要部を示し、（ａ）はその裏面側から見た要部の拡大斜視図、（ｂ）はそれを反対側から見た要部の拡大斜視図である。
【図８】図７に示されたハンドベルトの一端部をベルト連結部材によってカバー部材の第１ベルト取付部に取り付けた状態を示した要部の拡大斜視図である。
【図９】図８に示されたハンドベルトの一端部をベルト連結部材によってカバー部材の第１ベルト取付部に取り付けた状態における各断面を示し、（ａ）はそのＢ−Ｂ矢視における要部を断面で示した拡大斜視図、（ａ）はそのＣ−Ｃ矢視における要部を断面で示した拡大斜視図である。
【図１０】図１に示された携帯端末機の側面図である。
【発明を実施するための形態】
【００１０】
以下、図１〜図１０を参照して、この発明を携帯端末機に適用した一実施形態について説明する。
この携帯端末機は、図１〜図３に示すように、前後方向（図１では上下方向）に長い長方形状の機器ケース１を備えている。この機器ケース１は、上部ケース２と下部ケース３とを有し、これらの内部にモジュール４が組み込まれるように構成されている。
【００１１】
上部ケース２は、図１に示すように、上面が長方形のほぼ平板状に形成され、その外周の側面部が下部ケース３に取り付けられるように構成されている。この場合、上部ケース２の上面におけるほぼ上辺側半分には、表示窓部５が設けられており、そのほぼ下辺側半分には、キー入力部６が設けられている。
【００１２】
下部ケース３は、図２および図３に示すように、その裏面における長手方向に沿う中央部がほぼ平坦状に形成されていると共に、長手方向に沿う両側面部が裏面（図３では上面）に向けて円弧状に湾曲して形成され、この側面部の上部（図３では下部）に上部ケース２の側面部の下部（図３では上部）が取り付けられるように構成されている。
【００１３】
モジュール４は、図３に示すように、インナーケース７を備え、このインナーケース７に表示パネル８および回路基板９などの携帯端末機に必要な各種の部品が搭載されるように構成されている。表示パネル８は、液晶表示パネルやＥＬ（エレクトロ・ルミネセンス）表示パネルのなどの平面型の表示パネルであり、携帯端末機に必要な各種の情報を電気光学的に表示するように構成されている。
【００１４】
すなわち、この表示パネル８は、図１および図３に示すように、上部ケース２の表示窓部５の下側に対応した状態で、インナーケース７に取り付けられ、表示された情報が表示窓部５を通して上部ケース２の上方から見えるように構成されている。回路基板９は、光学読取部１０などの携帯端末機に必要な各種の電子部品が設けられ、インナーケース７の下面（図３では上面）のほぼ全域に亘って配置されるように構成されている。
【００１５】
この場合、光学読取部１０は、図３に示すように、回路基板９の下面（図３では上面）における上辺部側（図３では左辺側）に配置され、レーザ光線を下部ケース３の読取窓部１１から機器ケース１の外部に出射させ、この出射されたレーザ光線の反射光を受光することにより、物品のバーコードなどを読み取るように構成されている。
【００１６】
また、下部ケース３の前後方向におけるほぼ中間部に位置する両側部には、図２および図３に示すように、スイッチ部１２がそれぞれ設けられている。この下部ケース３の前後方向（図２では上下方向）におけるほぼ中間部に位置する裏面には、図２、図４および図５に示すように、コネクタ１３の開口部１４を開閉可能に塞ぐカバー部材１５が取り付けられている。
【００１７】
この場合、下部ケース３の裏面には、図４に示すように、カバー部材１５が装着する装着凹部１６が下部ケース３の裏面における平坦部から湾曲した両側面部に亘って設けられている。この装着凹部１６内における片側（図４では右側）には、開口部１４が下部ケース３の内外に貫通して設けられている。
【００１８】
この開口部１４は、図４および図５に示すように、ほぼ長方形状に形成され、その内部にコネクタ１３の先端部が配置されるように構成されている。この開口部１４の周縁部には、ガイド壁１４ａが環状に設けられている。このガイド壁１４ａには、嵌合溝１４ｂがガイド壁１４ａに沿って環状に設けられており、この嵌合溝１４ｂ内には、パッキン部１４ｃが上方に突出した状態で装着されている。
【００１９】
この場合、コネクタ１３は、接続ケーブルによって外部機器（いずれも図示せず）と電気的に接続されるものであり、図５に示すように、下部ケース３内に設けられた基板１３ａ上に取り付けられている。また、この装着凹部１６内における両側には、図２に示すビス１７が螺着するねじ穴１６ａ（図４参照）が設けられている。
【００２０】
カバー部材１５は、図２および図６に示すように、両端部が円弧状に形成されたほぼ長方形の板状に形成され、その両側が下部ケース３の両側面部に沿って湾曲した構成になっている。このカバー部材１５の内面には、図５および図６（ｂ）に示すように、開口部１４のガイド壁１４ａが嵌合するカバー溝１５ａが環状に設けられている。また、このカバー部材１５の両側部には、ビス１７が挿入するビス挿入孔１５ｂが装着凹部１６のねじ穴１６ａに対応して設けられている。
【００２１】
これにより、カバー部材１５は、図２および図５に示すように、下部ケース３の装着凹部１６内に装着された際に、開口部１４のガイド壁１４ａがカバー溝１５ａに嵌合した状態で、ビス１７がビス挿入孔１５ｂに挿入されて装着凹部１６のねじ穴１６ａに螺着されると、ガイド壁１４ａの嵌合溝１４ｂに嵌着したパッキン部１４ｃがカバー溝１５ａの内面に圧接して開口部１４を密閉し、この状態で下部ケース３の装着凹部１６内に取り付けられるように構成されている。
【００２２】
また、この下部ケース３の下辺部側には、図４に示すように、電池蓋１８が電池収納部１９を覆って取り付けられている。この電池収納部１９は、充電池（図示せず）を収納するものであり、上部ケース２の下辺側に設けられたキー入力部６に対応した状態で、下部ケース３の裏面側に開放されて設けられている。
【００２３】
この電池収納部１９の縁部には、図２および図４に示すように、電池蓋１８を電池収納部１９に着脱可能に取り付けるための複数の取付レバー２０が設けられている。これら複数の取付レバー２０は、回転操作することにより、電池蓋１８の縁部を電池収納部１９に係脱可能に係止するように構成されている。
【００２４】
ところで、下部ケース３の裏面側には、図２および図１０に示すように、ハンドベルト２１が取り付けられている。このハンドベルト２１は、一端部２１ａ側がベルト連結部材２２によってカバー部材１５に設けられた第１ベルト取付部２３に取り付けられ、他端部２１ｂ側が電池蓋１８に設けられた第２ベルト取付部２４に取り付けられるように構成されている。
【００２５】
この場合、ベルト連結部材２２は、金属または合成樹脂で形成されている。このベルト連結部材２２は、図７（ａ）および図７（ｂ）に示すように、互いに対面する対面部を有し、これら対面部が端部で連結された連結本体２５と、この連結本体２５の互いに対面する一面部２５ａに設けられたベルト取付孔２６と、連結本体２５の他面部２５ｂに設けられた位置規制孔２７と、を備えている。
【００２６】
これにより、ハンドベルト２１は、図７（ａ）および図７（ｂ）に示すように、その一端部２１ａが連結本体２５の一面部２５ａと他面部２５ｂとの間を通ってベルト取付孔２６に挿入され、この挿入された一端部２１ａが折り返されることにより、ハンドベルト２１の一端部２１ａ側にベルト連結部材２２が取り付けられるように構成されている。
【００２７】
第１ベルト取付部２３は、図６および図８に示すように、ハンドベルト２１の一端部２１ａ側に取り付けられたベルト連結部材２２が着脱可能に取り付けられるように構成されている。すなわち、この第１ベルト取付部２３は、図６（ａ）および図６（ｂ）に示すように、カバー部材１５に設けられてベルト連結部材２２の連結本体２５における他面部２５ｂの両端部を挿脱可能に挟持する一対の挟持部２８と、カバー部材１５に設けられて連結本体２５の位置規制孔２７に弾力的に挿入する位置規制部２９と、を備えている。
【００２８】
この場合、カバー部材１５の裏面の中央部には、図６および図８に示すように、長方形状の凹部３０が設けられている。一対の挟持部２８は、凹部３０の下辺部側の両側部にカバー部材１５の裏面側に向けて突出して設けられ、凹部３０に対応する側面部にベルト連結部材２２の連結本体２５における他面部２５ｂの両端部が挿入する切欠き溝２８ａがそれぞれ設けられた構成になっている。
【００２９】
これにより、一対の挟持部２８は、図８および図９（ａ）に示すように、ベルト連結部材２２の連結本体２５における他面部２５ｂの両端部が、上辺側から下辺側に向けてスライドして、一対の挟持部２８の各側面部にそれぞれ設けられた各切欠き溝２８ａに挿入することにより、連結本体２５の他面部２５ｂの両端部を挟んだ状態で保持するように構成されている。
【００３０】
また、位置規制部２９は、図６および図９（ｂ）に示すように、カバー部材１５の凹部３０内の中央部に設けられたフック部２９ａと、このフック部２９ａの下辺側端部に設けられてカバー部材１５の裏面側に向けて突出する係止突起２９ｂと、を備えている。フック部２９ａは、図６（ａ）および図６（ｂ）に示すように、その上辺部側を除いて、カバー部材１５を舌形状にくり抜くことにより、上辺部を支点としてカバー部材１５の表裏面方向に弾性変形するように構成されている。
【００３１】
また、第１ベルト取付部２３の係止突起２９ｂは、図９（ｂ）に示すように、フック部２９ａの下辺側端部に山形状に形成されている。すなわち、この係止突起２９ｂは、上辺側が傾斜面に形成され、下辺側が垂直面に形成され、その高さがカバー部材１５の凹部３０の深さとほぼ同じ高さで形成されている。
【００３２】
この係止突起２９ｂは、図９（ｂ）に示すように、ベルト連結部材２２の連結本体２５の他面部２５ｂが、上辺側から下辺側に向けてスライドして、係止突起２９ｂの傾斜面を乗り越えて通過した際に、フック部２９ａの弾性復帰力によって連結本体２５の他面部２５ｂの位置規制孔２７に弾力的に挿入することにより、ベルト連結部材２２のスライド方向の位置を規制するように構成されている。
【００３３】
これにより、第１ベルト取付部２３は、図９（ａ）および図９（ｂ）に示すように、ベルト連結部材２２の連結本体２５の他面部２５ｂをカバー部材１５の裏面に沿って上辺側から下辺側に向けてスライドさせると、連結本体２５の他面部２５ｂの両端部が一対の挟持部２８の側面部に設けられた各切欠き溝２８ａに挿入して挟まれた状態で保持されると共に、連結本体２５の他面部２５ｂが係止突起２９ｂの傾斜面を乗り越えて、係止突起２９ｂが連結本体２５の他面部２５ｂの位置規制孔２７に挿入することにより、ベルト連結部材２２が取り付けられるように構成されている。
【００３４】
また、この第１ベルト取付部２３は、図９（ａ）および図９（ｂ）に示すように、位置規制部２９の係止突起２９ｂの係止力、つまりフック部２９ａの弾性力に抗してベルト連結部材２２の連結本体２５を下辺側から上辺側に向けて押すと、フック部２９ａが弾性変形して、連結本体２５の他面部２５ｂの位置規制孔２７内から係止突起２９ｂが離脱し、この状態で連結本体２５を下辺側から上辺側に向けてスライドさせると、連結本体２５の他面部２５ｂの両端部が一対の挟持部２８の側面部に設けられた各切欠き溝２８ａから抜け出し、ベルト連結部材２２が取り外されるように構成されている。
【００３５】
一方、第２ベルト取付部２４は、図３に示すように、電池蓋１８の下辺部側に裏面側に向けて突出して設けられた取付突起部２４ａと、この取付突起部２４ａに設けられてハンドベルト２１が挿入するベルト挿入孔２４ｂと、を有している。この場合、取付突起部２４ａは、下部ケース３の下辺部に沿う方向の長さがハンドベルト２１の長手方向と直交する幅方向の長さよりも少し長く形成されている。
【００３６】
ベルト挿入孔２４ｂは、図３に示すように、電池蓋１８の表裏面方向の高さがハンドベルト２１の厚みとほぼ同じで、下部ケース３の下辺部に沿う方向の長さがハンドベルト２１の幅方向の長さと同じ大きさに形成されている。これにより、第２ベルト取付部２４は、ハンドベルト２１の他端部２１ｂがベルト挿入孔２４ｂに挿入されて折り返されることにより、ハンドベルト２１の他端部２１ｂ側が取付突起部２４ａに取り付けられるように構成されている。
【００３７】
次に、このような携帯端末機の作用について説明する。
ハンドベルト２１を機器ケース１の下部ケース３に取り付ける場合には、まず、ハンドベルト２１の一端部２１ａ側にベルト連結部材２２を取り付ける。このときには、ハンドベルト２１の一端部２１ａをベルト連結部材２２の連結本体２５の互いに対面する一面部２５ａと他面部２５ｂとの間に挿入させて、連結本体２５の一面部２５ａに設けられたベルト取付孔２６に挿入させ、この状態でハンドベルト２１の一端部２１ａを折り返す。これにより、ハンドベルト２１の一端部２１ａ側にベルト連結部材２２が取り付けられる。
【００３８】
この状態で、ハンドベルト２１の他端部２１ｂ側を下部ケース３に取り付けられた電池蓋１８の第２ベルト取付部２４に取り付ける。このときには、ハンドベルト２１の他端部２１ｂを第２ベルト取付部２４の取付突起部２４ａに設けられたベルト挿入孔２４ｂに挿入させて折り返し、この折り返したハンドベルト２１の他端部２１ｂをハンドベルト２１に固定する。これにより、ハンドベルト２１の他端部２１ｂ側が電池蓋１８の第２ベルト取付部２４に取り付けられる。
【００３９】
この状態で、ハンドベルト２１の一端部２１ａに取り付けられたベルト連結部材２２を下部ケース３に取り付けられたカバー部材１５の第１ベルト取付部２３に取り付ける。このときには、ベルト連結部材２２の連結本体２５の他面部２５ｂをカバー部材１５の裏面に沿って上辺側から下辺側に向けてスライドさせる。
【００４０】
そして、ベルト連結部材２２の連結本体２５における他面部２５ｂの両端部が第１ベルト取付部２３の一対の挟持部２８に到達すると、この到達した連結本体２５の他面部２５ｂの両端部が一対の挟持部２８の各側面部にそれぞれ設けられた各切欠き溝２８ａに挿入する。このときには、連結本体２５の他面部２５ｂが第１ベルト取付部２３の係止突起２９ｂの傾斜面を乗り越えて通過し、この通過した連結本体２５の他面部２５ｂの位置規制孔２７に係止突起２９ｂが弾力的に挿入する。
【００４１】
これにより、ベルト連結部材２２の連結本体２５における他面部２５ｂの両端部が第１ベルト取付部２３一対の挟持部２８における各切欠き溝２８ａに挿入して挟まれた状態で保持されると共に、第１ベルト取付部２３の係止突起２９ｂが連結本体２５の他面部２５ｂの位置規制孔２７に挿入して、ベルト連結部材２２の連結本体２５のスライド方向の位置が規制される。これにより、ベルト連結部材２２が第１ベルト取付部２３に取り付けられる
【００４２】
このように、ハンドベルト２１が取り付けられた携帯端末機を使用する際には、ハンドベルト２１と下部ケース３との間に手を差し込むことにより、この差し込まれた手に機器ケース１が取り付けられる。この状態では、機器ケース１が手に固定されるので、表示パネル８に表示された情報を見ながらキー入力部６を良好に入力操作することができる。
【００４３】
また、このときには、機器ケース１の両側部に設けられたスイッチ部１２を操作して、光学読取部１０からレーザ光線を発光させ、この発光したレーザ光線を読取窓部１１から出射させ、この出射されたレーザ光線の反射光を受光する。これにより、物品のバーコードを良好に読み取ることができる。
【００４４】
一方、機器ケース１からハンドベルト２１を取り外す場合には、まず、ハンドベルト２１の一端部２１ａ側に取り付けられたベルト連結部材２２をカバー部材１５の第１ベルト取付部２３から取り外す。このときには、第１ベルト取付部２３の位置規制部２９における係止突起２９ｂの係止力、つまりフック部２９ａの弾性力に抗して、ベルト連結部材２２の連結本体２５を下辺側から上辺側に向けて押す。
【００４５】
すると、位置規制部２９のフック部２９ａが弾性変形して、連結本体２５の他面部２５ｂの位置規制孔２７内から係止突起２９ｂが離脱する。この状態で、連結本体２５を下辺側から上辺側に向けてスライドさせる。すると、ベルト連結部材２２の連結本体２５における他面部２５ｂの両端部が、第１ベルト取付部２３の一対の挟持部２８の側面部に設けられた各切欠き溝２８ａから抜け出する。これにより、ベルト連結部材２２が第１ベルト取付部２３から取り外される。
【００４６】
この状態で、第２ベルト取付部２４のベルト挿入孔２４ｂに挿入されて折り返されたハンドベルト２１の他端部２１ｂをハンドベルト２１から取り外し、この取り外したハンドベルト２１の他端部２１ｂを第２ベルト取付部２４のベルト挿入孔２４ｂを通して引き出す。これにより、ハンドベルト２１の他端部２１ｂを第２ベルト取付部２４から取り外すことができる。
【００４７】
このように、この携帯端末機によれば、開口部１４および電池収納部１９が設けられた機器ケース１と、この機器ケース１に開口部１４を覆って取り付けられ、かつ外面に第１ベルト取付部２３が設けられたカバー部材１５と、機器ケース１に電池収納部１９を覆って取り付けられ、かつ外面に第２ベルト取付部２４が設けられた電池蓋１８と、第１ベルト取付部２３に一端部２１ａ側がベルト連結部材２２によって取り付けられ、かつ第２ベルト取付部２４に他端部２１ｂ側が取り付けられるハンドベルト２１と、を備えているので、機器ケース１の構造を簡素化し、ハンドベルト２１を機器ケース１に良好に取り付けることができる。
【００４８】
すなわち、この携帯端末機では、機器ケース１に取り付けられたカバー部材１５の第１ベルト取付部２３にハンドベルト２１の一端部２１ａ側をベルト連結部材２２によって取り付けることができると共に、機器ケース１に取り付けられた電池蓋１８の第２ベルト取付部２４にハンドベルト２１の他端部２１ｂ側を取り付けることができる。
【００４９】
このため、この携帯端末機では、機器ケース１に第１ベルト取付部２３および第２ベルト取付部２４を直接設ける必要がないので、機器ケース１の構造を簡素化することができると共に、機器ケース１内に組み込まれるモジュール４が第１ベルト取付部２３と第２ベルト取付部２４とによって制約を受けことがなく、ハンドベルト２１を機器ケース１に良好に取り付けることができる。
【００５０】
この場合、ベルト連結部材２２は、互いに対面する対面部を有する連結本体２５と、この連結本体２５の互いに対面する一面部２５ａに設けられたベルト取付孔２６と、連結本体２５の他面部２５ｂに設けられた位置規制孔２７と、を備えているので、ハンドベルト２１の一端部２１ａを連結本体２５の一面部２５ａと他面部２５ｂとの間を通し、ベルト取付孔２６に挿入させて折り返すことにより、ハンドベルト２１の一端部２１ａ側に連結本体２５を取り付けることができるので、ハンドベルト２１の一端部２１ａ側にベルト連結部材２２を簡単にかつ容易に取り付けることができる。
【００５１】
すなわち、このベルト連結部材２２は、連結本体２５の一面部２５ａと他面部２５ｂとの間にハンドベルト２１の一端部２１ａを挿入させてベルト取付孔２６に挿入し、この状態でハンドベルト２１の一端部２１ａを折り返すだけで良いので、ハンドベルト２１の一端部２１ａにベルト連結部材２２を簡単にかつ確実に取り付けることができると共に、連結本体２５が互いに対面する端部同士を連結した構成で、連結本体２５の一面部２５ａにベルト取付孔２６を設け、他面部２５ｂに位置規制孔２７を設けた構成であるから、ベルト連結部材２２の構造が簡単で容易に製作することができる。
【００５２】
また、この携帯端末機では、第１ベルト取付部２３が、カバー部材１５に設けられて連結本体２５の他面部２５ｂの両端部を挿脱可能に挟持する一対の挟持部２８と、カバー部材１５に設けられて連結本体２５の位置規制孔２７に弾力的に挿脱可能に挿入する位置規制部２９と、を備えているので、ベルト連結部材２２の連結本体２５の他面部２５ｂを機器ケース１の裏面に沿ってスライドさせることにより、ベルト連結部材２２の連結本体２５を第１ベルト取付部２３に簡単にかつ確実に取り付けることができる。
【００５３】
この場合、カバー部材１５の裏面には、凹部３０が設けられており、一対の挟持部２８は、凹部３０の下辺部側の両側部にカバー部材１５の裏面側に向けて突出して設けられ、凹部３０に対応する側面部に切欠き溝２８ａがそれぞれ設けられているので、連結本体２５の他面部２５ｂを機器ケース１の裏面に沿って上辺側から下辺側に向けてスライドさせることにより、連結本体２５の他面部２５ｂの両端部を一対の挟持部２８の各切欠き溝２８ａに挿入させることができ、これにより連結本体２５の他面部２５ｂの両端部を一対の挟持部２８で挟んで保持することができる。
【００５４】
また、第１ベルト取付部２３の位置規制部２９は、カバー部材１５の凹部３０内の中央部に、その上辺部側を除いてカバー部材１５を舌形状にくり抜かれて設けられ、かつカバー部材１５の表裏面方向に弾性変形するフック部２９ａと、このフック部２９ａの下辺側端部に設けられてカバー部材１５の裏面側に向けて突出する係止突起２９ｂと、を備えているので、ベルト連結部材２２のスライド方向の位置を簡単にかつ確実に規制することができる。
【００５５】
すなわち、この位置規制部２９は、連結本体２５の他面部２５ｂを機器ケース１の裏面に沿って上辺側から下辺側に向けてスライドさせた際に、連結本体２５の他面部２５ｂが係止突起２９ｂを押し下げてスライドし、連結本体２５の他面部２５ｂの位置規制孔２７が係止突起２９ｂに到達した際に、連結本体２５の他面部２５ｂの位置規制孔２７に係止突起２９ｂをフック部２９ａの弾性復帰力によって挿入させることができるので、ベルト連結部材２２のスライド方向の位置を簡単にかつ確実に規制することができる。
【００５６】
また、この携帯端末機では、機器ケース１の開口部１４の周縁部に、カバー部材１５の内面に圧接して開口部１４を密閉するパッキン部１４ｃが設けられていることにより、機器ケース１の開口部１４を覆った状態でカバー部材１５を機器ケース１に取り付けた際に、カバー部材１５の内面にパッキン部１４ｃを圧接させることができるので、このパッキン部１４ｃによって機器ケース１の開口部１４を密閉することができ、これにより機器ケース１内に組み込まれたコネクタ１３が開口部に対応して配置されていても、そのコネクタ１３の防水を図ることができる。
【００５７】
この場合、機器ケース１の下部ケース３に設けられた開口部１３の周縁部には、ガイド壁１４ａが環状に設けられ、このガイド壁１４ａには、嵌合溝１４ｂがガイド壁１４ａに沿って環状に設けられ、この嵌合溝１４ｂ内にパッキン部１４ｃが上方に突出して装着され、カバー部材１５にガイド壁１４ａが嵌着するカバー溝１５ａが設けられた構成であるから、下部ケース３の開口部１４を覆った状態でカバー部材１５を下部ケース３に取り付けた際に、カバー部材１５のカバー溝１５ａにガイド壁１４ａを嵌着させることができると共に、パッキン部１５ａをカバー溝１５ａの内面に圧接させることができるので、開口部１４を確実に密閉することができる。
【００５８】
さらに、この携帯端末機では、第２ベルト取付部２４が、電池蓋１８に設けられた取付突起部２４ａと、この取付突起部２４ａに設けられてハンドベルト２１の他端部２１ｂが挿入するベルト挿入孔２４ｂと、を有する構成であるから、ハンドベルト２１の他端部２１ｂをベルト挿入孔２４ｂに挿入させて折り返すことにより、ハンドベルト２１の他端部２１ｂ側を取付突起部２４ａに取り付けることができるので、ハンドベルト２１の他端部２１ｂ側を第２ベルト取付部２４に簡単にかつ確実に取り付けることができる。
【００５９】
この場合、第２ベルト取付部２４は、電池蓋１８に設けられた取付突起部２４ａにハンドベルト２１の他端部２１ｂが挿入するベルト挿入孔２４ｂを設けただけの構造であるから、構造が簡単で容易に製作することができ、かつハンドベルト２１の他端部２１ｂをベルト挿入孔２４ｂに挿入させて折り返すだけで良いので、第２ベルト取付部２４に対するハンドベルト２１の他端部２１ｂの取付作業も容易にできる。
【００６０】
なお、上述した実施形態では、カバー部材１５の第１ベルト取付部２３にハンドベルト２１の一端部２１ａ側をベルト連結部材２２によって取り付けるようにしたが、これに限定されず、電池蓋１８に第１ベルト取付部２３を設けるようにし、第１ベルト取付部２３にハンドベルト２１の一端部２１ａ側をベルト連結部材２２によって取り付けるように構成してもよい。この場合、カバー部材１５に第２ベルト取付部２４を設け、第２ベルト取付部２４にハンドベルト２１の他端部側を取り付けるように構成する。
【００６１】
また、上述した実施形態では、カバー部材１５は、コネクタ１３の開口部１４を開閉可能に塞ぐように構成したが、これに限定されず、開口部１４の内部にメモリカード収納部を設け、カバー部材１５は、メモリカード収納部の開口部１４を開閉可能に塞ぐように構成してもよい。
【００６２】
さらに、上述した実施形態では、携帯端末機に適用した場合について述べたが、必ずしも携帯端末である必要はなく、例えば携帯電話機や携帯型の情報処理装置などの各種の電子機器に広く適用することができる。
【００６３】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００６４】
（付記）
請求項１に記載の発明は、第１開口部と第２開口部とが外面に設けられた機器ケースの前記第１開口部を覆って取り付けられ、かつ外面に第１ベルト取付部が設けられた第１カバー部材と、前記機器ケースの前記第２開口部を覆って取り付けられ、かつ外面に第２ベルト取付部が設けられた第２カバー部材と、前記第１カバー部材の前記第１ベルト取付部に一端部側が取り付けられ、かつ前記第２カバー部材の前記第２ベルト取付部に他端部側が取り付けられるベルトと、を備えていることを特徴とするベルト取付構造である。
【００６５】
請求項２に記載の発明は、請求項１に記載のベルト取付構造において、前記ベルトは、前記第１カバー部材の前記第１ベルト取付部に一端部側がベルト連結部材によって取り付けられ、かつ前記第２カバー部材の前記第２ベルト取付部に他端部側が取り付けられることを特徴とするベルト取付構造である。
【００６６】
請求項３に記載の発明は、請求項１または請求項２に記載のベルト取付構造において、前記第１開口部は、前記機器ケースの内部に設けられたコネクタに対応して設けられた開口部であり、前記第２開口部は、前記機器ケースの内部に設けられた電池収納部に対応して設けられた開口部であることを特徴とするベルト取付構造である。
【００６７】
請求項４に記載の発明は、請求項２または請求項３に記載のベルト取付構造において、前記ベルト連結部材は、互いに対面する対面部を有する連結本体と、前記連結本体の互いに対面する一面部に設けられたベルト取付孔と、前記連結本体の他面部に設けられた位置規制孔と、を備え、前記ベルトの前記一端部が前記連結本体の前記一面部と前記他面部との間を通して前記ベルト取付孔に挿入されて折り返されることにより、前記ベルトの前記一端部側が前記連結本体に取り付けられることを特徴とするベルト取付構造である。
【００６８】
請求項５に記載の発明は、請求項４に記載のベルト取付構造において、前記第１ベルト取付部は、前記第１カバー部材に設けられて前記連結本体の前記他面部の両端部を挟持する一対の挟持部と、前記第１カバー部材に設けられて前記連結本体の前記位置規制孔に弾力的に挿入する位置規制部と、を備えていることを特徴とするベルト取付構造である。
【００６９】
請求項６に記載の発明は、請求項１〜請求項５のいずれかに記載のベルト取付構造において、前記第１開口部の周縁部には、前記第１カバー部材の内面に圧接して前記第１開口部を密閉するパッキン部が設けられていることを特徴とするベルト取付構造である。
【００７０】
請求項７に記載の発明は、請求項１〜請求項６のいずれかに記載のベルト取付構造において、前記第２ベルト取付部は、前記第２カバー部材に設けられた取付突起部と、前記取付突起部に設けられて前記ベルトの前記他端部が挿入するベルト挿入孔と、を有し、前記ベルトの前記他端部が前記ベルト挿入孔に挿入されて折り返されることにより、前記ベルトの前記他端部側が前記取付突起部に取り付けられることを特徴とするベルト取付構造である。
【００７１】
請求項８に記載の発明は、請求項１〜請求項７のいずれかに記載のベルト取付構造を備えていることを特徴とする電子機器である。
【符号の説明】
【００７２】
１  機器ケース
２  上部ケース
３  下部ケース
４  モジュール
１３  コネクタ
１４  開口部（第１開口部）
１４ａ  ガイド壁
１４ｂ  嵌合溝
１４ｃ  パッキン部
１５  カバー部材（第１カバー部材）
１５ａ  カバー溝
１６  装着凹部
１８  電池蓋（第２カバー部材）
１９  電池収納部（第２開口部）
２１  ハンドベルト
２１ａ  一端部
２１ｂ  他端部
２２  ベルト連結部材
２３  第１ベルト取付部
２４  第２ベルト取付部
２５  連結本体
２５ａ  一面部
２５ｂ  他面部
２６  ベルト取付孔
２７  位置規制孔
２８  挟持部
２８ａ  切欠き溝
２９  位置規制部
２９ａ  フック部
２９ｂ  係止突起
【図１】
0006394949.tif 000002
【図２】
0006394949.tif 000003
【図３】
0006394949.tif 000004
【図４】
0006394949.tif 000005
【図５】
0006394949.tif 000006
【図６】
0006394949.tif 000007
【図７】
0006394949.tif 000008
【図８】
0006394949.tif 000009
【図９】
0006394949.tif 000010
【図１０】
0006394949.tif 000011